【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
減圧によって組織部位を治療するシステムにおいて、前記システムが：
前記組織部位に近接して配置される減圧ドレッシングと；
前記減圧ドレッシングに流体的に結合された無線減圧ポンプであって、
ＲＦＩＤアンテナ、
前記ＲＦＩＤアンテナに結合された第１のプロセッサ、
前記第１のプロセッサに結合されてそこから電力を受信しかつ減圧を発生させるマイクロポンプ装置、および
前記マイクロポンプ装置に流体的に結合された液溜め
を含む無線減圧ポンプと；
ＲＦＩＤリーダを有するベースユニットと；
を含み、
前記ＲＦＩＤリーダが、前記ＲＦＩＤアンテナに電力をもたらし、前記マイクロポンプ装置に電力供給を行うように構成されることを特徴とする、システム。
【請求項２】
請求項１に記載のシステムにおいて、第１のポンプシール部材および第２のポンプシール部材をさらに含み、前記第１のポンプシール部材および前記第２のポンプシール部材が、少なくとも部分的に結合してポンプ用パウチを形成し、そこに前記マイクロポンプ装置が配置されていることを特徴とする、システム。
【請求項３】
請求項１または２に記載のシステムにおいて、前記無線減圧ポンプには、前記ＲＦＩＤアンテナ以外の動力源が設置されていないことを特徴とする、システム。
【請求項４】
請求項１〜３のいずれか１項に記載のシステムにおいて、前記無線減圧ポンプが、前記減圧ドレッシングおよび前記第１のプロセッサに流体的に結合されて前記組織部位における圧力を感知する圧力感知装置をさらに含むことを特徴とする、システム。
【請求項５】
請求項１〜３のいずれか１項に記載のシステムにおいて、
前記無線減圧ポンプが、前記第１のプロセッサに結合された圧力感知装置をさらに含み、
前記ベースユニットが、前記ＲＦＩＤリーダに結合された第２のプロセッサを含み、および
前記第２のプロセッサおよび前記ＲＦＩＤリーダが、前記無線減圧ポンプの前記第１のプロセッサに圧力問合せ信号を送信しかつそれに応答して前記第１のプロセッサから圧力メッセージ信号を受信するように構成されることを特徴とする、システム。
【請求項６】
請求項１〜３のいずれか１項に記載のシステムにおいて、
前記無線減圧ポンプが、前記第１のプロセッサに結合された圧力感知装置をさらに含み、
前記ベースユニットが、前記ＲＦＩＤリーダに結合された第２のプロセッサを含み、
前記第２のプロセッサおよび前記ＲＦＩＤリーダが、前記無線減圧ポンプの前記第１のプロセッサに圧力問合せ信号を送信しかつそれに応答して前記第１のプロセッサから圧力メッセージ信号を受信するように構成され、
前記第１のプロセッサおよび前記圧力感知装置が、前記圧力問合せ信号に応答して前記圧力メッセージ信号を準備するように構成され、
前記第１のプロセッサおよび前記ＲＦＩＤアンテナが、前記圧力メッセージ信号を送信するように構成され、および
前記第２のプロセッサが、前記圧力メッセージ信号を受信し、制御信号を準備するように構成され、および前記第２のプロセッサおよびＲＦＩＤが、前記無線減圧ポンプに前記制御信号を送信して、前記マイクロポンプ装置を作動または動作停止させる制御信号をもたらすように構成されていることを特徴とする、システム。
【請求項７】
請求項１〜３のいずれか１項に記載のシステムにおいて、
前記無線減圧ポンプが、前記第１のプロセッサに結合された圧力感知装置をさらに含み、
前記圧力感知装置が、圧力メッセージ信号を生成するように動作可能であり、および
前記第１のプロセッサが、前記圧力メッセージ信号を受信しかつ制御信号を生成して前記マイクロポンプ装置を作動させるまたはその動作を停止させるように動作可能であることを特徴とする、システム。
【請求項８】
請求項１に記載のシステムにおいて、
前記減圧ドレッシングおよび前記第１のプロセッサに流体的に結合されて前記組織部位における圧力を感知する圧力感知装置と；
第１の分配マニホールドと、
吸収層と、
ダイバータ層と、
ポンプシール部材と、
第２のポンプシール部材と
をさらに含み、
前記第１の分配マニホールド、前記吸収層、および前記ダイバータ層が、ポンプシール部材および第２のポンプシール部材によって形成されたポンプ用パウチ内に配置され；
前記マイクロポンプ装置が圧電ポンプを含み；
前記減圧ドレッシングが：
前記組織部位に近接して配置されるインターフェース分配マニホールド、
ドレッシングシール部材、および
減圧インターフェース
を含み、および
前記ＲＦＩＤアンテナが前記ベースユニットから５センチメートル未満であることを特徴とする、システム。
【請求項９】
無線減圧ポンプにおいて：
第１のチャンバおよび第２のチャンバを形成する少なくとも１つの壁部材と；
ＲＦＩＤアンテナと
前記ＲＦＩＤアンテナに結合された第１のプロセッサと；
前記第１のプロセッサに結合されてそこから電力を受信しかつ減圧および正圧を発生させるマイクロポンプ装置と；
前記第１のチャンバに流体的に結合された複数の膨張式支持部材と；
前記第２のチャンバを含む液溜めと
を含み、
前記マイクロポンプ装置が、前記第１のチャンバに流体的に結合されてそこに正圧を排出する通気口と、前記第２のチャンバに流体的に結合されてそこに減圧を供給する流入口とを有することを特徴とする、無線減圧ポンプ。
【請求項１０】
請求項９に記載の無線減圧ポンプにおいて、前記第１のチャンバに流体的に結合された第１の圧力逃がし弁をさらに含み、前記第１の圧力逃がし弁が、第１の閾値圧力を上回る正圧を放出するように動作可能であることを特徴とする、無線減圧ポンプ。
【請求項１１】
請求項９または１０に記載の無線減圧ポンプにおいて、前記第１のチャンバおよび前記第２のチャンバが、ピラミッドの一部分の形状であることを特徴とする、無線減圧ポンプ。
【請求項１２】
請求項９または１０乃至１１の何れか１項に記載の無線減圧ポンプにおいて、前記ＲＦＩＤアンテナ以外の動力源が設置されていないことを特徴とする、無線減圧ポンプ。
【請求項１３】
減圧によって患者の組織部位を治療するシステムの製造方法において、前記方法が：
前記組織部位に近接して配置される減圧ドレッシングを提供するステップと；
無線減圧ポンプを提供するステップであって、前記無線減圧ポンプが：
ＲＦＩＤアンテナ、
前記ＲＦＩＤアンテナに結合された第１のプロセッサ、
前記第１のプロセッサに結合されてそこから電力を受信しかつ減圧を発生させるマイクロポンプ装置、および
前記マイクロポンプ装置に流体的に結合された液溜め
を含むステップと；
ＲＦＩＤリーダを有するベースユニットを提供するステップと
を含み、
前記ＲＦＩＤリーダが、前記ＲＦＩＤアンテナに電力をもたらし、前記マイクロポンプ装置に電力供給を行うように構成されていることを特徴とする、方法。
【請求項１４】
請求項１３に記載の製造方法において、第１のポンプシール部材および第２のポンプシール部材をさらに含み、前記第１のポンプシール部材および第２のポンプシールが、少なくとも部分的に結合して、前記マイクロポンプ装置が配置されるポンプ用パウチを形成することを特徴とする、方法。
【請求項１５】
請求項１３に記載の製造方法において、前記無線減圧ポンプを前記減圧ドレッシングに流体的に結合する減圧導管を設けるステップをさらに含むことを特徴とする、方法。
【請求項１６】
請求項１３に記載の製造方法において、圧力感知装置を提供するステップと、前記圧力感知装置を前記減圧ドレッシングに結合するステップとをさらに含むことを特徴とする、方法。
【請求項１７】
減圧によって組織部位を治療する減圧システムにおいて、前記減圧システムが：
無線減圧ドレッシングであって：
前記組織部位に近接して配置されるインターフェース分配マニホールド、
前記インターフェース分配マニホールドから流体を受け取って保持する吸収部材、
ＲＦＩＤアンテナ、
前記ＲＦＩＤアンテナに結合された第１のプロセッサ、
前記第１のプロセッサに結合されてそこから電力を受信しかつ減圧を発生させるマイクロポンプ装置であって、流入口および排出口を有するマイクロポンプ装置、
前記組織部位を覆って密閉空間を形成する第１のシール部材、および
前記マイクロポンプ装置の前記排出口を外部に流体的に結合する通気口；
を含み、前記マイクロポンプが前記密閉空間に流体的に結合されて、そこに減圧を供給する、無線減圧ドレッシングと；
ＲＦＩＤリーダを含むベースユニットであって、無線減圧ドレッシングにポンプ信号を供給して前記マイクロポンプ装置を付勢するように動作可能なベースユニットと
を含むことを特徴とする、減圧システム。
【請求項１８】
請求項１７に記載のシステムにおいて、前記無線減圧ドレッシングに第１の圧力センサをさらに含み、前記第１の圧力センサは前記第１のプロセッサに結合され、前記第１のプロセッサおよび前記ＲＦＩＤアンテナが、圧力問合せ信号を受信しかつ圧力メッセージ信号を生成し、それを前記ベースユニットに送信するように動作可能であることを特徴とする、システム。
【請求項１９】
請求項１７に記載のシステムにおいて、前記無線減圧ドレッシングに第１の圧力センサをさらに含み、前記第１の圧力センサが前記第１のプロセッサに結合され、前記第１のプロセッサおよび前記ＲＦＩＤアンテナが、圧力問合せ信号を受信しかつ圧力メッセージ信号を生成してそれを前記ベースユニットに送信するように動作可能であり、前記ベースユニットが第２のプロセッサをさらに含み、前記第２のプロセッサが、前記圧力メッセージ信号を受信しかつポンプ制御信号を生成するように動作可能であることを特徴とする、システム。
【請求項２０】
請求項１７に記載のシステムにおいて、前記無線減圧ドレッシングに第１の圧力センサをさらに含み、前記第１の圧力センサは前記第１のプロセッサに結合され、および前記第１のプロセッサは、前記第１の圧力センサから圧力メッセージ信号を受信しかつ制御信号を生成して前記マイクロポンプ装置を制御するように構成されることを特徴とする、システム。
【請求項２１】
請求項１７に記載されたシステムにおいて、前記無線減圧ポンプには、前記ＲＦＩＤアンテナ以外の動力源が設置されておらず、および前記減圧ドレッシングに供給される減圧のみが前記マイクロポンプ装置からのものであることを特徴とする、システム。
【請求項２２】
請求項１７または１８乃至２１の何れか１項に記載のシステムにおいて、前記無線減圧ドレッシングには導管もワイヤも結合されていないことを特徴とする、システム。
【請求項２３】
無線減圧ポンプにおいて、
ＲＦＩＤアンテナと；
前記ＲＦＩＤアンテナに結合された第１のプロセッサと；
前記第１のプロセッサに結合されてそこから電力を受信しかつ減圧を発生させるマイクロポンプ装置と
を含むことを特徴とする、無線減圧ポンプ。
【請求項２４】
請求項２３に記載の無線減圧ポンプにおいて、前記マイクロポンプ装置に流体的に結合された液溜めをさらに含むことを特徴とする、無線減圧ポンプ。
【請求項２５】
請求項２３または２４に記載の無線減圧ポンプにおいて、
第１のポンプシール部材と；
第２のポンプシール部材であって、前記第１のポンプシール部材および第２のポンプシールが、少なくとも部分的に結合して、前記マイクロポンプ装置が配置されるポンプ用パウチを形成する、第２のポンプシール部材と
をさらに含むことを特徴とする、無線減圧ポンプ。
【請求項２６】
請求項２３〜２５のいずれか１項に記載の無線減圧ポンプにおいて、前記ＲＦＩＤアンテナ以外の動力源が設置されていないことを特徴とする、無線減圧ポンプ。
【請求項２７】
請求項２３または２４乃至２６の何れか１項に記載の無線減圧ポンプにおいて、前記減圧ドレッシングおよび前記第１のプロセッサに流体的に結合されて前記組織部位における圧力を感知する圧力感知装置をさらに含むことを特徴とする、無線減圧ポンプ。
【請求項２８】
請求項２３または２４乃至２６の何れか１項に記載の無線減圧ポンプにおいて、
前記無線減圧ポンプが、前記第１のプロセッサに結合された圧力感知装置をさらに含み；
前記ＲＦＩＤリーダに結合された第２のプロセッサを含むベースユニットをさらに含み；および
前記第２のプロセッサおよび前記ＲＦＩＤリーダが、前記無線減圧ポンプの前記第１のプロセッサに圧力問合せ信号を送信しかつそれに応答して前記第１のプロセッサから圧力メッセージ信号を受信するように構成されていることを特徴とする、無線減圧ポンプ。
【請求項２９】
請求項２３または２４乃至２６の何れか１項に記載の無線減圧ポンプにおいて、
前記無線減圧ポンプが、前記第１のプロセッサに結合された圧力感知装置をさらに含み、
前記ＲＦＩＤリーダに結合された第２のプロセッサを含むベースユニットをさらに含み、
前記第２のプロセッサおよび前記ＲＦＩＤリーダが、前記無線減圧ポンプの前記第１のプロセッサに圧力問合せ信号を送信しかつそれに応答して前記第１のプロセッサから圧力メッセージ信号を受信するように構成され、
前記第１のプロセッサおよび前記圧力感知装置が、前記圧力問合せ信号に応答して前記圧力メッセージ信号を準備するように構成され、
前記第１のプロセッサおよび前記ＲＦＩＤアンテナが、前記圧力メッセージ信号を送信するように構成され、および
前記第２のプロセッサが、前記圧力メッセージ信号を受信し、制御信号を準備するように構成され、および前記第２のプロセッサおよびＲＦＩＤが、前記無線減圧ポンプに前記制御信号を送信して、前記マイクロポンプ装置を作動または動作停止させる制御信号をもたらすように構成されていることを特徴とする、無線減圧ポンプ。
【請求項３０】
請求項２３または２４乃至２６の何れか１項に記載の無線減圧ポンプにおいて、
前記無線減圧ポンプが、前記第１のプロセッサに結合された圧力感知装置をさらに含み、
前記圧力感知装置が、圧力メッセージ信号を生成するように動作可能であり、および
前記第１のプロセッサが、前記圧力メッセージ信号を受信しかつ制御信号を生成して、前記マイクロポンプ装置を作動させるまたはその動作を停止させるように動作可能であることを特徴とする、無線減圧ポンプ。
【請求項３１】
請求項２３または２４乃至２６の何れか１項に記載の無線減圧ポンプにおいて、前記無線減圧ポンプが：
第１のチャンバおよび第２のチャンバを形成する少なくとも１つの壁部材と、
前記第１のチャンバに流体的に結合された第１の圧力逃がし弁であって、第１の閾値圧力を上回る正圧を放出するように動作可能である第１の圧力逃がし弁と、
前記第１のチャンバに流体的に結合された複数の膨張式支持部材と
をさらに含み、
前記マイクロポンプ装置が、前記第１のチャンバに流体的に結合されて、そこに正圧を供給する通気口と、前記第２のチャンバに流体的に結合されて、そこに減圧を供給する流入口とを有し、
前記液溜めが前記第２のチャンバを含むことを特徴とする、無線減圧ポンプ。
【請求項３２】
請求項２３または２４に記載の無線減圧ポンプにおいて、前記無線減圧ポンプが：
ピラミッドの一部分の形状である第１のチャンバおよび第２のチャンバと；
前記第１のチャンバに流体的に結合された第１の圧力逃がし弁であって、第１の閾値圧力を上回る正圧を放出するように動作可能である第１の圧力逃がし弁と；
前記第１のチャンバに流体的に結合された複数の膨張式支持部材と；
をさらに含み、
前記マイクロポンプ装置が、前記第１のチャンバに流体的に結合された通気口を有し；
前記液溜めが前記第２のチャンバを含むことを特徴とする、無線減圧ポンプ。
【請求項３３】
請求項２３または２４に記載の無線減圧ポンプにおいて、
前記無線減圧ポンプには前記ＲＦＩＤアンテナ以外の動力源が設置されておらず；
前記無線減圧ポンプが：
前記減圧ドレッシングおよび前記第１のプロセッサに流体的に結合されて前記組織部位における圧力を感知する圧力感知装置、
第１の分配マニホールド、
吸収層、
ダイバータ層
をさらに含み、
前記第１の分配マニホールド、前記吸収層、および前記ダイバータ層が、前記第１のポンプシール部材および前記第２のポンプシール部材によって形成された前記ポンプ用パウチ内に配置され；
前記マイクロポンプ装置が圧電ポンプを含み；
前記減圧ドレッシングが：
前記組織部位に近接して配置されているインターフェース分配マニホールド、
ドレッシングシール部材、および
減圧インターフェース
を含み；
前記ＲＦＩＤアンテナが、前記ベースユニットから約５センチメートル未満にあり；および
減圧導管が減圧インターフェースを前記無線減圧ポンプに流体的に結合していることを特徴とする、無線減圧ポンプ。